(57)【要約】      （修正有）【課題】手帳型を一般とする無地の二つ折り携帯端末を収容するケース本体に、写真やイラストなどの図柄をパソコンで編集し、家庭用プリンタで印刷された表面材をケース本体の表面に貼着することで、手作りの携帯端末ケースを提供する。【解決手段】スマートフォンＳＭを初めとする携帯端末を収容するケース本体が二つ折りされた状態の表面１１に、アイロンプリントなどの熱転写での転写方式を採用した表面材１により、ケース本体への貼着を可能にして装飾性を持たせる。また貼着後に本来の目的である携帯端末を保護するという機能性を持たせるべく、携帯端末の支持部材として両面テープを標準パーツとして設け、転写時の熱による変形や作業性などの影響を避ける。そしてオプションパーツとして標準の両面テープの上に吸盤パット、粘着シート等、自由に支持部材を組み合わせて、携帯端末ケースをカスタマイズできるようにする。【選択図】図１
0003202724.tif 000002
【実用新案登録請求の範囲】
【請求項１】
携帯端末用のケースであって、該ケースは携帯端末を収容するケース本体と該ケース本体の表面に貼着される表面材とから構成され、該表面材はその表面に図柄を印刷する印刷面が形成されていることを特徴とする携帯端末ケース。
【請求項２】
前記ケース本体には、携帯端末を支持するための支持部材が取り付けられていることを特徴とする請求項１記載の携帯端末ケース。
【請求項３】
前記支持部材は前記携帯端末をスライドさせるスライド機構を備えていることを特徴とする請求項２記載の携帯端末ケース。  
【考案の詳細な説明】
【技術分野】
【０００１】
本考案はスマートフォンを初めとする携帯端末を内部に挟み込むように収容するとともに、各種カードケース機能等を兼ね備えた携帯端末ケースについて、携帯端末ケースの表面へ任意の図柄をパソコンで編集し、プリンタで印刷された表面材シートを貼着するという装飾性、また装飾後に携帯端末本体を支持する部材のカスタマイズを可能にした携帯端末用ケースの手作りキットに関する。
【背景技術】
【０００２】
近年、スマートフォンを保護するためのカバーやケース類については、多くの種類のものが提案されている。中でも装着するスマートフォン本体よりも、大きめで硬めの生地を、中間の折り曲げ自在な連接部を介して、二つ折りを可能にしている。その内面の片側にスマートフォンを保持させるためのプラスチック等の枠を固定して、これにスマートフォンを嵌め合わせて保持させるといった、手帳型ケースまたはブック型ケースと呼ばれるものが、一般的に知られている（例えば特開２０１４−１５５１３５号）。
【０００３】
また二つ折りしたケースの内面側にはスマートフォンを初めとする携帯端末だけでなく、名刺や名札、各種カード類を一緒に収納できるようにした多目的ストラップケース（例えば実用新案登録第３１８９１１２号）、あるいは二つ折りを可能とした、スマートフォンケースに被せられる布地のシートであって、二つ折りされた状態の表面は全面被覆可能であり、汚れた場合はシートを取り外して、別のシートに交換、または洗濯して再利用可能な着せ替えシートも知られている（例えば実用新案登録第３２００４９８号）。
【０００４】
さらに表面と後面を有する底板と、底板の周囲を囲むように形成された、上側壁、下側壁、右側壁、左側壁などの各側壁を有して、高壁部の頂点縁に、内側に突出した頂点爪部が設けられており、前記頂点爪部はスマートフォンの前面の周縁と側面の上縁の間に形成された溝に係合するように構成され、材質は少し硬いが適当な弾性を有するプラスチック製のハードケースなども知られている（例えば実用新案登録第３１８１９９４号）。
【先行技術文献】
【特許文献】
【０００５】
【特許文献１】特開２０１４−１５５１３５号公報
【特許文献２】実用新案登録第３１８９１１２号公報
【特許文献３】実用新案登録第３２００４９８号公報
【特許文献４】実用新案登録第３１８１９９４号公報
【考案の概要】
【考案が解決しようとする課題】
【０００６】
しかしながら特許文献１に記載されたものは、手帳型ケースまたはブック型ケースとして、多くの種類のものが市場で流通しており、ケース本体に支持したまま安定して、スマートフォンのタッチパネルを操作できるという利便性が高まりつつあるが、ケース本体が二つ折りされた状態の表面には、あらかじめ様々な絵柄や模様などが施されたものが供給されている。従ってケース本体の表面の
図柄にしたい写真やイラストの他、自分の思い通りの画像を設定したい場合には、専門の加工店にてオーダーメイドとして注文しなければならない。
【０００７】
また特許文献２に記載されたものは、名刺や名札、各種カード類とともに１つのケース内に収納できるようにして、二つ折り可能なストラップケースの内面側にスマートフォンを収納するための透明なポケットを備えている。この場合にスマートフォンの操作はポケットに収納したままの状態にて操作することは可能であるが、スマートフォンのカメラ機能を用いる場合においては、その都度スマートフォンを収納ポケットから取り出さなければならない。
【０００８】
さらに特許文献３に記載されたものは、中間に折り曲げ自在な連接部を有して、二つ折りを可能にしたスマートフォンケースに被せられる布地の着せ替えシートである。近年、スマートフォンの進化につれて、ますます薄型になりつつあるが、ケース自体を覆うように布地のシートを装着することは、薄型化が進む携帯端末に反して、ケースや着せ替えシートにより、厚みが増し、バックや衣服のポケットに入れて持ち運ぶ際、かさばることが懸念される。
【０００９】
そして特許文献４に記載されたものは、これまで二つ折りスマートフォンケースが普及する以前から、樹脂製のハードケースとしてスマートフォン本体の側面及び背面が嵌め込まれる構造として、スマートフォン各機種の形状やカメラレンズなどの穴に合わせて市場に流通している。しかし最近は、スマートフォン本体の背面にはハードケースで保護できるが、正面のタッチパネル部への傷付き防止として保護フィルムを施している。近年、この保護フィルムを貼り替える頻度が多くなることを避け、二つ折りスマートフォンケースに移行するユーザーが今後ますます増加していくと考える。その結果、これまで使用していた樹脂製のハードケースは不要と判断して廃却するといったことが今後予測される。
【課題を解決するための手段】
【００１０】
そこで本考案においては、自分の好きな図柄をケース本体の表面に設定したい時に、個人のパソコンで自由に編集し、家庭用プリンタで印刷された表面材シートを貼着する。これはスマートフォンケース本体の表面への装飾性を持たせることを容易にしたものである。
【００１１】
また本考案においては、手帳型を主とする無地の二つ折りスマートフォンケースを採用し、ケース本体に装着したまま安定して、スマートフォンのタッチパネルを操作できるという利便性を維持しつつ、スマートフォンのカメラ機能を用いる場合等においても、ケースとスマートフォンの支持部材である、両面テープ等の標準パーツもしくは吸盤パット、粘着シート、スライド機構、ハードケース等のオプションパーツに応じて、ケース本体にカメラレンズ穴等を設けることで、ケースに装着したまま静止画や動画撮影を容易にしたものである。
【００１２】
さらに本考案においては、スマートフォンケース本体の表面に、印刷面が形成された薄い表面材シートを貼着することで、ケースを二つ折りした際の厚みはほとんど変わらない。また汚れが付着した際の清掃時には、インクジェットなど家庭用プリンタで印刷されたものは、水分を含ませると画像の変色や膨潤が懸念されるが、表面材の一例として、アイロンプリントなどの転写シートを使用すれば、衣服へ転写した後に洗濯が可能であるという実績があるため、水分を含ませながらの拭き取り清掃が可能である。
【００１３】
そして本考案においては、スマートフォンケース本体の表面への貼着後に、ケース内面の片側にスマートフォンを支持させる。その支持部材の選択肢として、両面テープ等の標準パーツ、もしくは吸盤パット、粘着シート、スライド機構、ハードケース等のオプションパーツを提案するが、中でも二つ折りスマートフォンケースに移行するため、これまで長年愛用しながらも不要と判断された樹脂製のハードケースは、標準として設定している両面テープをスマートフォンケース本体の内面に貼り付け、その上に古い樹脂製のハードケースを支持するという、ハードケースの流用が可能である。
【考案の効果】
【００１４】
本考案による二つ折りスマートフォンケース手作りキットによれば、専門加工店にてオーダーメイドで注文することなく、いつでも誰でも個人のパソコンで自由に編集し、家庭用プリンタで印刷された表面材シートを貼り付けることで、自分が身に着けるものを自分自身でカスタマイズして、安価で作製できることが期待できる。さらにはスマートフォンの利便性を維持しつつ、カメラ機能を用いる場合でもケースとスマートフォンの支持部材として両面テープ等の標準パーツもしくは吸盤パット、粘着シート、スライド機構、ハードケース等のオプションパーツに応じて、ケース本体に装着したまま静止画や動画撮影が容易となる。また表面材シートは薄いため、ケース本体を二つ折りした際の厚みはほとんど変わらず、汚れが付着した際はアイロンプリントなどの転写シートを使用していれば、水分を含ませながらの拭き取り清掃が可能である。そしてこれまで愛用してきた、古い樹脂製のハードケースも、当キットへ流用することで再利用が可能となり、オプションパーツを揃えることなく、さらに安価で作製できる。
【図面の簡単な説明】
【００１５】
【図１】本考案の全体構成を示す概略図である。
【図２】本考案の主要部を示す概略図である。
【図３】本考案の携帯端末の取り付け方の第１実施例である。
【図４】本考案の携帯端末の取り付け方の第２実施例である。
【図５】本考案の携帯端末の取り付け方の第３実施例である。
【図６】本考案の携帯端末の取り付け方の第４実施例である。
【図７】本考案の携帯端末の取り付け方の第５実施例である。
【図８】本考案の表面材への印刷の仕方を示す説明図である。
【図９】本考案の表面材をケースへの貼着の仕方を示す説明図である。
【図１０】本考案のケース完成図である。
【考案を実施するための形態】
【００１６】
携帯端末用ケースとしての二つ折りスマートフォンケース１１は図１０に示すように、手帳型またはブック型の形状を有しており、ケース本体１１ａと留め具１１ｂとから構成されている。図３は二つ折りスマートフォンケース１１を開いた状態を示している。スマートフォンＳＭ本体はスマートフォンケース１１の内面１２における右半面に取り付けられ、スマートフォンＳＭの長辺に対して平行な軸を中心として、左開きで使用されるものとした。スマートフォンＳＭが取り付けられる右半面を「装着面」と呼び、スマートフォンＳＭのタッチパネル部を覆うフタにあたる左半面を「フラップ面」と呼ぶ。
【００１７】
二つ折りスマートフォンケース１１の材質は、ポリウレタンレザーなどの合成皮革を外表面と内面とで、板状の厚紙や樹脂などの生地を挟み込んで、その周囲を縫い合わせた一般的な構成としている。手帳型またはブック型として、スマートフォンケース１１を閉じた状態を保持する機能としては、転写時の作業性を考慮して、留め具１１ｂにはマグネット式を採用し、留め具１１ｂに磁石部、ケース本体１１ａに磁性部を埋め込んだものが良い。サイズはスマートフォンＳＭ本体の大きさに合わせて、Ｓ、Ｍ、Ｌの３サイズ程度をニーズに合わせて設定することで、スマートフォンＳＭ本体の大きさに見合った、二つ折りスマートフォンケース１１の作製が可能となる。またフラップ面の内面にはカード収納ポケット３４、多目的収納ポケット３５を有するものが好ましい。
【００１８】
ケース本体１１ａの表面に貼着されるべく、印刷面が形成された表面材１としての表面材シート１３の作成支援として、パソコン５２で画像の配置等を編集する場合には、インターネットや専用アプリ、ＣＤ−ＲＯＭからテンプレート５１を入手して、その形状やサイズに合わせて、転写したい表面材シート１３を作成することを容易にする。またテンプレートは画像の配置等を編集するほか、スマートフォンＳＭの機種ごとに設定されているカメラレンズ５、スピーカー６の位置に伴い、スマートフォンＳＭのカメラレンズ穴３やスピーカー穴４の形成位置の把握も兼ねる。従ってテンプレート５１に網羅する機種は全機種とする。そして表面材に印刷する図柄の決定後、試し印刷用原寸シート１４にプリンタ５３で仮印刷して最終確認、表面材シート１３に本印刷する。印刷が完了すると、スマートフォンＳＭのケース１１の形状に合わせて表面材シート１３の周辺を切り取ることで、ケース本体表面材１が完成する。その際にスマートフォンＳＭのケース１１の留め具１１ｂの表面に貼着される留め具表面材２も一緒に作成される。
【００１９】
図３には本考案の第１実施例があらわされている。この場合はスマートフォンケースＳＭのケース本体表面１１への貼着後に、ケース本体内面１２の片側にスマートフォンＳＭを支持させる。その支持部材として両面テープ１５を用いて、スマートフォンＳＭを支持させるようにしたものである。
【００２０】
図４には本考案の第２実施例があらわされている。この場合は第1実施例の支持部材に変えて吸盤パット２１を用いて、スマートフォンＳＭを支持させるようにしたものである。
【００２１】
また図５には本考案の第３実施例があらわされている。この場合は第1実施例の支持部材に変えて粘着シート２２を用いて、スマートフォンＳＭを支持させるようにしたものである。
【００２２】
さらに図６には本考案の第４実施例があらわされている。この場合は第1実施例の支持部材に変えてハードケース２３を用いて、スマートフォンＳＭを支持させるようにしたものである。
【００２３】
上記した本考案の各実施例の構成において、スマートフォンＳＭの支持部材として、両面テープ１５、吸盤パット２１、粘着シート２２、ハードケース２３でスマートフォンＳＭを支持する場合は、装着面の可動域が規制されるため、スマートフォンＳＭのカメラレンズ及びスピーカーと対応する位置に、カメラレンズ穴３やスピーカー穴４を二つ折りスマートフォンのケース本体１１ａに形成する必要がある。
【００２４】
そして図７には本考案の第５実施例があらわされている。この場合は第1実施例の支持部材に変えて、枠体２４ａと枠体の中を摺動するスライドピース２４ｂからなるスライド機構２４を用いて、スマートフォンＳＭを支持させるようにしたものである。この場合は、スマートフォンＳＭ自体が、カメラレンズに対応する位置まで可動域４３を有するため、カメラレンズ穴３やスピーカー穴４の形成を省略しても構わない。
【００２５】
スマートフォンＳＭの支持部材の中で、吸盤パット２１、粘着シート２２、ハードケース２３、スライド機構２４等でスマートフォンＳＭを支持する場合は、二つ折りスマートフォンケース１１への支持部材の取り付けは、標準パーツの両面テープ１５または接着剤を使用する。
【００２６】
本考案の第１から第５実施例で示す、表面材シート１の貼着後には、ケース本体１１の表面に施した図柄の保護や汚れ防止として、防水スプレーまたはラッカー系クリアースプレーで仕上げることが望ましい。
【００２７】
以上、本考案のいくつかの実施の形態について説明したが、本考案はこのような実施の形態になんら限定されるものではなく、その要旨を逸脱しない範囲内において種々なる態様での実施が可能である。例えば以下のような変形が可能である。上記実施例ではスマートフォンを用いるものとしたが、本考案はこれに限られない。本考案においては一般に携帯端末として平板状の形状を有するとともに、その前面にタッチパネルを備えているもの、即ちタブレット型端末に適用してもよい。また上記実施例では二つ折りスマートフォンケースは、スマートフォンの長辺に対して、平行な軸を中心として、左開きで使用されるものとしたが、本考案はこれに限られない。本考案においては右開きとしてもよく、さらにスマートフォンやタブレット型端末などの携帯端末の短辺に対して、平行な軸を中心として、上下開きで使用されるように構成してもよい。上記実施例の二つ折りスマートフォンケース手作りキットが備える構成の一部を、適宜、省略したり組み合わせたりするようにしてもよい。本考案は当業者が容易になし得る追加、削除、変更、改良等を含むものである。本考案の技術的範囲は、添付の実用新案登録請求の範囲の記載によって定められる。
【符号の説明】
【００２８】
１    ケース本体表面材
２    留め具表面材
３    スマートフォンカメラレンズ穴
４    スマートフォンスピーカー穴
５    スマートフォンカメラレンズ
６    スマートフォンスピーカー
１１  スマートフォンケース本体表面
１２  スマートフォンケース本体内面
１３  表面材シート
１４  試し印刷用原寸シート
１５  両面テープ
２１  吸盤パット
２２  粘着シート
２３  ハードケース
２４  スライド機構
５１  テンプレート
５２  パソコン
５３  プリンタ
ＳＭ  スマートフォン
【図１】
0003202724.tif 000003
【図２】
0003202724.tif 000004
【図３】
0003202724.tif 000005
【図４】
0003202724.tif 000006
【図５】
0003202724.tif 000007
【図６】
0003202724.tif 000008
【図７】
0003202724.tif 000009
【図８】
0003202724.tif 000010
【図９】
0003202724.tif 000011
【図１０】
0003202724.tif 000012